(57)【要約】  本発明は衛生用製品、使い捨ておむつ等の様な圧縮可能な品物の包装を容易にする拡大可能なパッケージに向けられている。該拡大可能なパッケージは、該パッケージ内の品物が圧縮状態で保持されるよう、外側バッグボデイと、折り畳まれた状態で保持される少なくとも１つの内側拡大要素と、を具備する。該パッケージは該外側バッグボデイ内に少なくとも１つの優先弱化範囲を有し、該ボデイは開かれると、該内側拡大要素を広がらせ、かくして消費者による該パッケージ内からの個別品物の簡易な分離と取り出しを容易にする。
2012501280.tif 000002
【特許請求の範囲】
【請求項１】
前後ボデイパネルと、間で前記ボデイパネルが長手方向に延びる、１対の相対する端部と、を備える外側バッグボデイであって、前記バッグボデイが柔軟な材料で形成される該外側バッグボデイと、
前記外側バッグボデイ内に位置付けられ、該外側バッグボデイに結合された少なくとも１つの折り畳まれた内側拡大要素であって、前記拡大要素が前記バッグボデイの２つの長手方向に隔てられた領域で前記バッグボデイに結合され、前記拡大要素が前記領域の長手方向間隔より大きい広げられた長手方向寸法を有する該拡大要素と、を具備しており、
前記バッグボデイはほぼ前記長手方向に隔てられた領域間に位置付けられた優先弱化範囲を規定し、前記弱化範囲で前記バッグボデイを開くと、前記内側拡大要素が広がるので、該バッグボデイの端部が相互から離れ、該離間により前記パッケージ内からの品物の取り出しを容易にするよう、規定する、拡大可能なパッケージ。
【請求項２】
前記バッグボデイが前後の長手方向に延びるボデイパネルを備えており、前記パッケージが前記前後のボデイパネルとそれぞれ組み合わせて位置付けられた１対の前記内側拡大要素を具備しており、前記拡大要素が前記前後のボデイパネルの間の前記パッケージのほぼ頂部で相互から隔てられ、それにより該バッグボデイの前記弱化範囲の開口が、前記拡大要素の各々を広がらせ、該パッケージ内の品物が、ほぼ前記拡大要素の対の間から、ほぼ該パッケージの頂部を通して取り出されることを可能にする請求項１に記載の拡大可能なパッケージ。
【請求項３】
前記弱化範囲がパーフォレーションを有する請求項１に記載の拡大可能なパッケージ。
【請求項４】
前記弱化範囲が前記バッグボデイの刻み目付き範囲を有する請求項１に記載の拡大可能なパッケージ。
【請求項５】
前記弱化範囲が前記バッグボデイの周囲に実質的に連続して延びる請求項１に記載の拡大可能なパッケージ。
【請求項６】
前記バッグボデイが加熱シール可能な材料のウェブで形成され、前記拡大要素が前記長手方向に隔てられた領域の該バッグボデイの内部で該材料のウェブに加熱シールされたジグザグテープを有する請求項１に記載の拡大可能なパッケージ。
【請求項７】
拡大可能なパッケージを作る方法であって、
柔軟材料のウェブを提供する過程と、
形成される各パッケージの長さに対応するインターバルで前記ウェブの長手方向軸線に沿って隔てられた、材料のウェブを横断する１連の優先弱化範囲を形成する過程と、
複数の拡大要素を提供する過程と、
前記拡大要素が、それぞれの長手方向に隔てられた領域の間で前記優先弱化範囲の１つを跨いで延びるよう、該拡大要素の各１つを、前記材料のウェブの長手方向に隔てられた領域の対の前記材料のウェブに結合する過程であって、各前記拡大要素が該長手方向に隔てられた領域の対のそれぞれの１つ間の間隔より大きい広げられた長手方向寸法を有する、該結合する過程と、
形成されるパッケージの各々内に置かれるべき複数の品物を提供する過程と、そして
形成される該パッケージの各々の内部に位置付けられた前記拡大要素の少なくとも１つを伴いながら、各々が前後パネルと、間に前記ボデイパネルが延びる１対の相対する端部と、を有する外側バッグボデイを備える、１連の前記パッケージを形成するために前記材料のウェブを折り畳む過程であって、形成される該パッケージ内に、圧縮条件下で該複数の前記品物を位置付ける過程を備える、該折り畳む過程と、を具備しており、
各パッケージを該優先弱化範囲で開くと、該拡大要素が広がるので、該バッグボデイの端部は相互から分離し、該分離により該パッケージ内からの品物の取り出しを容易にする、該拡大可能なパッケージを作る方法。
【請求項８】
前記拡大要素がそれぞれの外側バッグボデイの該前後パネルとそれぞれ組み合わせて位置付けられるよう、前記拡大要素の対を、前記優先弱化範囲の各１つを跨いで延びるべく、前記材料のウェブに結合する過程を具備しており、
前記パッケージの該優先弱化範囲で該パッケージを開くと、前記対の拡大要素のほぼ間から、前記品物が該パッケージのほぼ頂部を通して該パッケージから取り出されるよう、前記対の拡大要素が、形成されるパッケージのほぼ頂部で、前記材料のウェブを横断する方向で、相互から隔てられる請求項７に記載の拡大可能なパッケージを作る方法。
【発明の詳細な説明】
【技術分野】
【０００１】
本発明は一般的に衛生用保護製品、使い捨ておむつ等の様な圧縮可能な品物用の柔軟な包装に関し、特に開いた時、中からの品物の取り出しを容易にする拡大可能なパッケージを用いて、中の品物を被圧縮状態で保持することを可能にすることにより貯蔵及び出荷を容易にする拡大可能なパッケージに関する。
【背景技術】
【０００２】
加熱シール可能なポリマーフィルム材料で典型的に形成される柔軟な包装機構は、該機構が製造され、充填される効率性と、中の品物の取扱い及び貯蔵用に該機構が消費者に提供する簡便さと、のために広く使われている。衛生用保護製品、使い捨ておむつ等の様な或る種の品物については、該パッケージ内の品物は被圧縮状態で保持されるのが典型的であり、それにより貯蔵及び出荷に付随するコストを望ましく下げる。
【０００３】
包装時、この性質の製品は組み合わせパッケージ内で垂直にパックされるのが典型的であり、品物は充填機械に対し横方向の圧縮に供される。この種の機械はこの仕方で包装される品物へ比較的高度の圧縮を印加出来るが、圧縮度は末端ユーザーにとっての便益により、或る面で限定される。特に、この様な品物が比較的高い圧縮に供されると、該パッケージを開く時、該パッケージは“破裂（ｅｘｐｌｏｄｅ）”する傾向があり、パッケージから中の品物が放出されて不便である。品物がこの仕方で“飛び出したり（ｐｏｐ  ｏｕｔ）”しない場合、該品物はパッケージ内に高圧縮状態で保持され、消費者による該パッケージ内からの最初の２、３ケの品物の簡易な取り出しは損なわれる。
【０００４】
かくして、消費者によるこの様な品物の便利な取り出しに付随する欠点を避けながら、効率的な出荷と貯蔵を実現するために、中の品物の高圧縮を実現する改良形のパッケージを提供することが望ましい。
【発明の概要】
【０００５】
本発明は最初の開き時に著しく拡大するよう構成され、該拡大により消費者によるパッケージ内からの個別品物の簡易な取り出しを非常に容易にする、柔軟材料で形成される改良型パッケージに向けられる。該パッケージの拡大能力は、過剰な支出無しに効率的仕方で提供され、重要な又は高価な変更無しに従来の充填機械で充填され得る。
【０００６】
図解された実施例に依ると、本拡大可能パッケージは前後ボデイパネルと、間を該ボデイパネルが長手方向に延びる１対の相対する端部と、を有する外側バッグボデイを具備する。該バッグボデイは加熱シール可能なポリマーフィルムの様な、柔軟材料で形成されるのが好ましい。しかしながら、本パッケージの製造用に他の柔軟な包装材料が使われ得ることは本発明の予測の中にある。
【０００７】
本発明に依れば、本拡大可能なパッケージは該パッケージの該外側バッグボデイ内に位置付けられ、該ボデイに結合される少なくとも１つの内側の、折り畳まれた拡大要素を有する。該拡大要素は該バッグボデイの２つの長手方向に隔てられた領域で該バッグボデイに結合されるが、該拡大要素はこれらの領域の長手方向の間隔より大きい、広げられた、長手方向寸法を有する。ここで使われる時、用語、折り畳まれた（ｆｏｌｄｅｄ）、は折り畳む（ｆｏｌｄｉｎｇ）、連続折り重ねする（ｆａｎ−ｆｏｌｄｉｎｇ）、コイル化する（ｃｏｉｌｉｎｇ）、ひだ付けする（ｂｕｎｃｈｉｎｇ）等を含む、その全長を効果的に減らすどんな構成の内側拡大要素も含むよう意図されている。
【０００８】
該バッグボデイは、該内側拡大要素が固定される該バッグボデイの長手方向に隔てられた領域のほぼ間に位置付けられた優先弱化範囲を規定する。この機構により、該弱化範囲で該バッグボデイを開くと、該内側拡大要素が広がるので、該バッグボデイの端部は相互から離れ得る。この仕方で、該パッケージ内からの品物の取り出しが容易になる。
【０００９】
図解実施例では、バッグボデイは前後の長手方向に延びるボデイパネルを有し、該前後ボデイパネルにそれぞれ組み合わせて位置付けられた１対の内側拡大要素を備える。該拡大要素は該前後ボデイパネルの間で該パッケージのほぼ頂部で相互から隔てられている。該パッケージの弱化範囲は、該範囲が該バッグボデイの周囲に実質的に連続して延びるよう提供されるのが好ましい。
【００１０】
該弱化範囲を開くと、該対の拡大要素の各々は該パッケージが開かれるので広がることが可能となる。これはパッケージ内の品物が、ほぼ該対の拡大要素の間から、該パッケージのほぼ頂部を通して取り出されることを可能にする。
【００１１】
本発明の拡大可能なパッケージを形成する方法は、柔軟材料のウェブを提供する過程と、該ウェブをほぼ横断的に延びる１連の隔てられた弱化領域を形成する過程と、を具備する。該弱化領域の各々はパーフォレーション範囲又は刻み目付き範囲の形で提供されてもよい。該方法は更に、ジグザグテープの形での様に、拡大要素がその後該材料のウェブに結合され、各拡大要素は、概略して各拡大要素は該弱化範囲のそれぞれの１つの上にあり、該それぞれの１つを跨いで連結されるよう、長手方向に隔てられた領域で該ウェブに結合されることを想定する。プラスチック材料のウェブはその後中に配置された被圧縮品物とともに、従来の仕方でパッケージに形成されてもよい。充填されたパッケージは後の包装、貯蔵、そして出荷用に従来の仕方で扱われてもよい。
【００１２】
購入後、各個別パッケージは該弱化範囲を開くことにより拡大され、そしてそれによって、中の被圧縮品物の影響下で、該パッケージの端部は相互から離れるよう動くが、それは該パッケージ内の１つ以上の拡大要素が広がり、長手方向に延びるからである。消費者は次いでパッケージ内から簡便に品物を取り出すことが出来る。
【００１３】
本発明の他の特徴と利点は付随する図と、附属する請求項から容易に明らかになるであろう。
【図面の簡単な説明】
【００１４】
【図１】本発明の原理を具体化する拡大可能なパッケージの斜視図の線図である。
【図２】拡大状態のパッケージを示す図１のパッケージの斜視図の線図である。
【図３】プラスチックフィルム材料のウェブからの本パッケージの製造を図解する線図である。
【図４】拡大要素の組み合わされた柔軟材料ウェブへの固定を図解する断面図の線図である。
【実施例１】
【００１５】
本発明は種々の形の実施例で実現可能であるが、以下に、現在好ましい実施例が図で示され、説明され、それは本開示が本発明の例示と考えられるべきで、本発明が図解する特定の実施例に限定するよう意図されてないと言う理解を伴うものである。
【００１６】
今、図１および２を参照すると、本発明の原理を具体化する拡大可能なパッケージ１０が図解されている。図解実施例では、拡大可能なパッケージ１０はほぼ長方形の形状を有
し、前後パネル１２及び１４、頂部及び底部パネル１６及び１８、そして相対する端部パネル２０及び２２を有する。更に説明される様に、パッケージ１０は、相対する端部パネル２０及び２２が相互から離れるよう動かされるので、前部、後部、頂部そして底部パネルが拡大又は延長されるよう拡大可能である。
【００１７】
拡大可能とするようパッケージ１０を構成するために、該パッケージは外側バッグボデイと、該バッグボデイの２つの長手方向に隔てられた領域で該バッグボデイに結合された少なくとも１つの内側拡大要素２４と、を有する。該パッケージ１０の拡大の前に、該拡大要素２４は折り畳まれた状態、すなわち、折り畳み、連続折り重ね、コイル化、ひだ付け等を含む、その全長を効果的に減らす何等かの内側拡大要素の構成で保持される。
【００１８】
該パッケージ１０のバッグボデイは、前後パネル１２及び１４と、頂部及び底部パネル１６及び１８を含むバッグボデイの、図解実施例の端部パネル２２の様な、該パッケージの端部パネルの１つに近距離関係にあるのが好ましい外側周囲に延びる優先弱化範囲２６を規定する。該優先弱化範囲はパーフォレーション、刻み目線、等の形で提供され、その折り畳まれた構成で保持された該内側拡大要素を有しながら、該パッケージをその未拡大状態で解放可能に保持するよう作用する。
【００１９】
図１はその未拡大状態の拡大可能なパッケージ１０を図解するが、該状態では、圧縮され得る使い捨ておむつ、衛生ナプキンそして類似品物の様な該パッケージ内の品物は被圧縮状態で保持され、かくしてパッケージ１０の効率的貯蔵と出荷を容易にする。
【００２０】
消費者によるパッケージ１０の中味へのアクセスを容易にするために、パッケージ内の被圧縮品物は圧縮をほどかれ、かくしてパッケージ内からの品物の分離と引き抜きを容易にすることが望ましい。この目的で、パッケージ１０は、該優先弱化範囲２６で、パッケージの分離、破壊、引き裂き又は他の開き作用により、図２に示すその拡大した形状に容易に再構成され得る。この仕方で開くと、該１つ以上の内側拡大要素２４が広がり、延びるので、端部パネル２２は該パッケージの残りからほぼ外方へ動くことが出来る。内側拡大要素は該パッケージの内側周囲では延びず、それにより該パッケージ内の圧縮されない製品が容易に取り出される製品開口部２７を規定することが好ましい。現在の実施例では、１対の拡大要素２４は前部及び後部パネル１２、１４とのそれぞれの組み合わせで提供されるので、該拡大要素は頂部及び底部パネル１６、１８で相互から隔てられ、かくして該パッケージ拡大時に製品開口部２７を提供する。
【００２１】
図３及び４は本発明の拡大可能なパッケージ１０が容易に作られ得る方法を図解する。パッケージ１０は、加熱シール可能であることが好ましいプラスチックフィルムウェブ２８又は類似材料で効率的に形成され得る。１連の優先弱化範囲２６は材料のウェブ２８に横断的に形成され、該弱化範囲は該ウェブの長手方向軸線に沿い、形成される各パッケージの長さに対応するインターバルで隔てられる。
【００２２】
本パッケージの形成は次に複数の拡大要素２４を装備することによりもたらされるが、該拡大要素の各々は、各拡大要素がそれぞれの長手方向に隔てられた領域の間で該優先弱化範囲２６の１つを跨いで延びるように、該ウェブの１対の長手方向に隔てられた領域で該ウェブに結合される。図４に示す様に、この様な長手方向に隔てられた領域は、加熱シール、接着シール又は当該技術で公知の類似技術により形成されてもよい適当なシール３０、３２の形で提供されてもよい。
【００２３】
言及された様に、各拡大要素２４は長手方向に隔てられた領域、すなわち、シール３０、３２のそれぞれの１つ間の長手方向間隔より大きい広げられた長手方向寸法を有する。
【００２４】
パッケージ形成は更に、形成されるパッケージの各々内に置かれる複数の品物を提供し、その後１連のパッケージを形成するために材料のウェブを折ることによりもたらされる。かくして形成された各パッケージは前後パネルと、ボデイパネルが間を延びる１対の相対する端部と、を有する外側バッグボデイを備える。拡大要素２４の各々の少なくとも１つは形成されるパッケージの各々の内部に位置付けられ、該形成方法は形成されるパッケージ内に圧縮下で複数の品物を位置付ける過程を含む。
【００２５】
この機構により、優先弱化範囲で各パッケージを開くと、該１つ以上の拡大要素が広がるので、バッグボデイの端部は相互から離れ、それにより該パッケージ内からの品物の取り出しを容易にする。
【００２６】
図１で図解される実施例の構成の拡大可能なパッケージを形成するために、該拡大要素の各々が、それぞれの外側バッグボデイの前後パネルとそれぞれ組み合わせて位置付けられるよう、拡大要素２４の対は、該優先弱化範囲の各１つを跨いでそれぞれ延びるよう材料のウェブに結合される。かくして、拡大要素の対は、該パッケージをその該優先弱化範囲で開くと、品物は、ほぼ該拡大要素２４の対の間から、製品開口部２７を通しての様に、ほぼ該パッケージの頂部を通して該パッケージから取り出され得るように、形成される該パッケージのほぼ頂部で、材料のウェブを横断する方向で相互に隔てられる。
【００２７】
前記から、本発明の新規概念の真の精神と範囲から離れることなく多くの変型と変更がもたらされると言える。ここで図解された特定の実施例に関し何等限定は意図されておらず、又推量されるべきでないことは理解されるべきである。本開示は全てのこの様な変型を附属する請求項により該請求項の範囲内に良くカバーするよう意図するものである。
【図１】
2012501280.tif 000003
【図２】
2012501280.tif 000004
【図３】
2012501280.tif 000005
【図４】
2012501280.tif 000006
【国際調査報告】
2012501280.tif 000007